(57)【要約】支持部分（２）が、折曲げおよび接着作業で安定させた箱につなぎ留められて一体となり、前記箱は、ほぼ直角に底面部分（４）に連結する４つの側壁（５、５’、６、６’）を備える。これらの側壁の１つは、その長さの少なくとも一部に関する限り、折り畳みストリップ（７）の形態で実施される。前記細片は、底面部分（４）の平面上に回動可能であり、かつ支持部分（２）に結合する。
2004535337.tif 000002
【特許請求の範囲】
【請求項１】
包装内容物を支える少なくとも１つの支持部分（２）を備え、また前記支持部分に連結して少なくとも１つの底面部分（４）と蓋部分（３）を有する保護ケースを備え、支持部分を保護ケースに接続することができて、その支持部分を底面部分と蓋部分の間の休止位置から使用位置に回動可能であり、底面部分（４）と蓋部分（３）が、ほぼ直角に底面部分に隣接する４つの側壁（５、５’、６、６’）を有する箱の構成部分である包装容器（１）であって、１つの側壁が、当接する箱側壁に連結している折り畳みストリップ（７）を形成して、使用位置では、支持部分が底面部分（４）の平面内に回動可能であり、少なくとも休止位置では、当接する箱側壁が安定しており、支持部分（２）は折り畳みストリップに連結していることを特徴とする包装容器。
【請求項２】
折り畳みストリップが、それぞれの場合に、１つの屈曲折目を介して、当接する箱側壁に連結することを特徴とする、請求項１に記載の包装容器。
【請求項３】
当接する箱側壁は、それぞれが外壁と内壁を有する、ほぼプリズム状の中空側壁として設計されており、この側壁は底面部分の平面から平行四辺形の態様で直立可能であり、またそれぞれの屈曲折目が中空側壁の外壁に隣接することを特徴とする、請求項２に記載の包装容器。
【請求項４】
それぞれの中空側壁の場合に、休止位置で内側に折り畳んだ屈曲折目が、内壁の端部側に当接し、これにより、この折目が直立した折り畳みストリップの平面内に保持されることを特徴とする、請求項３に記載の包装容器。
【請求項５】
蓋部分が、支持部分と同じように底面部分に接続可能であることを特徴とする、請求項１から４のいずれか一項に記載の包装容器。
【請求項６】
包装内容物を支える少なくとも１つの支持部分（２）を備え、また前記支持部分に連結して少なくとも１つの底面部分（４）と蓋部分（３）を有する保護ケースも備え、支持部分を保護ケースに連結することができて、その支持部分を底面部分と蓋部分の間の休止位置から使用位置に回動可能であり、底面部分（４）と蓋部分（３）が、ほぼ直角に底面部分に隣接する４つの側壁（５、５’、６、６’）を有する箱の構成部分である包装容器（１）であって、１つの側壁が、箱の側面長さの一部のみにわたって延在する折り畳みストリップ（７）を形成し、休止位置では、当接する箱側壁（６、６’）にしっかりと連結しかつ折り畳みストリップに隣接する１つの残り側壁（８、８’）が、それぞれの場合に、折り畳みストリップ（７）の両側に残り、使用位置では折り畳みストリップに連結する支持部分を底面部分（４）の平面内に回動可能であり、箱が、休止位置および使用位置で安定していることを特徴とする包装容器。
【請求項７】
連結横断部材（１８）を介して、少なくとも第２の支持部分（２ｂ）を第１支持部分（２ａ）に配置することを特徴とする、請求項１から６のいずれか一項に記載の包装容器。
【請求項８】
蓋部分（３）が、少なくとも１つの粘着帯によって閉じ位置に保持されることを特徴とする、請求項１から７のいずれか一項に記載の包装容器。
【請求項９】
蓋部分（３）が、少なくとも１つの挿入用舌部によって閉じ位置に保持されることを特徴とする、請求項１から７のいずれか一項に記載の包装容器。
【請求項１０】
支持部分が、内部に包装内容物を密着させるブリスタシート（２０）を支持することを特徴とする、請求項１から９のいずれか一項に記載の包装容器。
【請求項１１】
支持部分が開口（１３）を有し、ブリスタシート（２０）を支持部分に粘着剤で接着し、中に密着させた包装内容物を開口部分の中に配置することを特徴とする、請求項１０に記載の包装容器。
【請求項１２】
支持部分が、所定の破断点で切離し可能な少なくとも１つの個別の容器を支持することを特徴とする、請求項１から９のいずれか一項に記載の包装容器。
【請求項１３】
個別の容器が、閉じ要素を備える取出し口を有し、閉じ要素は、直接または間接に支持部分に連結され、取出し口と閉じ要素の間に所定の破断点を配置して、いったん、この容器を切り離したら、個別の容器が開くようにすることを特徴とする、請求項１２に記載の包装容器。
【請求項１４】
個別の容器の一続きの列を支持部分に配置することを特徴とする、請求項１２または１３に記載の包装容器。
【請求項１５】
調製された箱素材板紙を充填ステーションに送り出すステップと、
最初のステップの場合に、支持部分（２）が底面部分（４）の平面内に留り、
次いで、少なくとも１つの包装品目（２０）を支持部分に固定するステップと、
最後に、支持部分を箱の内側に回動し、蓋部分（３）によって箱を閉じるステップとを含むことを特徴とする請求項１から１４のいずれか一項に記載の包装容器の作製および充填方法。
【発明の詳細な説明】
【技術分野】
【０００１】
本発明は、独立請求項１および６の前部分に記載されている、包装内容物を支える少なくとも１つの支持部分を備える包装容器に関する。このような包装容器の場合では、包装内容物が箱の中に雑駁に包装してあるのではなく、少なくとも１つの支持部分が、それを密閉する保護ケースに堅固に連結してあり、その結果として、包装内容物、たとえば、ブリスタシートが偶発的に損傷する恐れがない。
【背景技術】
【０００２】
類似の一般的な種類の包装容器が、たとえば、ＧＢ−Ａ−２  ２６６  ８８０によって開示されている。この明細書では保護ケースが一種の札入れを形成し、その場合では、ブリスタ部分が幅の狭い側と一体になっている。この包装容器の１つの欠点は、それが適切な側壁をいずれも備えていないので、保護ケースが押圧に耐性がないことである。しかも埃や塵が、かど部分に入り込む恐れがある。
【０００３】
このような包装容器の１つの代替的な解決策が、ＵＳ−Ａ−５，９５４，２０２によって開示されている。１つの具体的な実施形態によれば、底面部分に隣接する側壁は、直立位置で相互に連結する。しかし、支持部分に充填する前に箱を直立させかつ安定させる作業は、充填作業では支持部分が平坦でなければならないので、かなり広げなければ不可能である。
【発明の開示】
【発明が解決しようとする課題】
【０００４】
したがって、本発明の１つの目的は、包装内容物のための安定した箱である利点と、包装容器の製造工程がそれほど過剰に難しくならない、素材板紙の一体設計を組み合わせる、序で述べた種類の包装容器を提供することである。
【課題を解決するための手段】
【０００５】
本発明の第１実施形態によれば、１つの側壁が、当接する箱側壁に連結している折り畳みストリップを形成して、使用位置では、支持部分が底面部分の平面内に回動可能であり、少なくとも休止位置では、当接する箱側壁が安定しており、支持部分は折り畳みストリップに連結している。それぞれの場合に、１つの折目を介して有利に連結が行われ、この折目が、それぞれに可能な相対的な位置で、折り畳みストリップを当接する箱側壁に連結する。
【０００６】
当接する箱側壁は、それぞれが外壁と内壁を有する、ほぼプリズム状の中空側壁として設計されており、この側壁は底面部分の平面から平行四辺形の態様で直立可能である。この実施形態では、それぞれの折り畳みストリップが中空側壁の外壁に隣接することができる。中空側壁を有する１枚の素材板紙を含む容器は、たとえば、ヨーロッパ特許公開ＥＰ−Ａ−１７２  １３３によって既に開示されている。このような包装容器は、それを予め組み立てた素材板紙として平坦な状態で供給可能であり、いったん、中空側壁を直立させたら、押圧に対して適切な安定性が実現するという利点を有する。
【０００７】
それぞれの中空側壁の場合に、休止位置で内側に折り畳んだ屈曲折目が、内壁の端部側に当接し、その結果として、この折目が直立した折り畳みストリップの平面内に保持されることが特に有利である。したがって、屈曲折目は開くことができないので、中空側壁が外側に回動される状況を確実に回避する。
【０００８】
蓋部分は、支持部分と全く同じように底面部分に連結可能である。特に、この蓋部分は、それぞれの場合に、１つの屈曲折目を介して当接する箱側壁に連結する壁部分に同様に配置してある。
【０００９】
本発明の１つの代替実施形態によれば、少なくとも１つの側壁が、箱の側面長さの一部のみにわたって延在する折り畳みストリップを形成することができるが、その場合に、休止位置では、当接する箱側壁にしっかりと連結しかつ折り畳みストリップに隣接する１つの残り側壁が、それぞれの場合に、折り畳みストリップの両側に残っている。またこの実施形態では、たとえ休止位置でもまた使用位置であっても、箱は安定しているが、使用位置では折り畳みストリップに連結する支持部分を底面部分の平面内に回動可能である。
【００１０】
このようにして、箱は、粘着剤で固着した４つのかど部分を実現し、その結果として、押圧に対する安定性および捻り剛性が顕著に増大する。この実施形態では、休止位置で折り畳みストリップが残り側壁に当接すると、その結果として十分な封止が実現されることが特に有利である。蓋部分を折り畳みストリップに平行な箱側壁に連結し、かつそれぞれの場合に１つの埃除け用フラップを折り畳みストリップに対して横断方向に延在する箱側壁に配置すれば、包装容器の封止がさらに向上する。
【００１１】
箱の大きさに応じて、連結横断部材を介して、少なくとも第２の支持部分を第１支持部分に配置することができる。連結横断部材は同時に、休止位置で２つの支持部分の間に一定の間隔を確保する。アコーディオン方式で、複数の支持部分を横並びに一列に位置決めすることも想定されよう。
【００１２】
蓋部分は、少なくとも１つの粘着帯によって閉じ位置に保持可能である。しかし、折り箱の事例ではそれ自体既に知られている少なくとも１つの挿入用舌部を有することも想定されよう。
【００１３】
支持部分は、たとえば、内部に包装内容物を密着させるブリスタシートを支えることができる。このようなブリスタシートはまた、ピルまたはカプセルなどの、特に医薬品を包装するために使用される。この実施形態では、支持部分が開口を有し、ブリスタシートを支持部分に粘着剤で接着して、中に密着させた包装内容物、たとえば、錠剤またはカプセルを開口部分の中に配置する。このようにして、取出し目的のために包装内容物を開口に押し通すことができる。
【００１４】
しかし、支持部分は、所定の破断点で切離し可能な少なくとも１つの個別の容器を支えることもできる。個別の容器は、プラスチック材から作製した瓶状またはアンプル状構造であり得る。しかし、フォイルバッグ、パイプバッグ、または同様のものも想定することができる。このような容器は、たとえば、香水、軟膏などの見本を無料配布するためにも使える。
【００１５】
個別の容器は、閉じ要素を備える取出し口を有することができるが、閉じ要素は、直接または間接に支持部分に連結可能であり、取出し口と閉じ要素の間に所定の破断点を配置して、いったん、この容器を折り取ったら、個々の容器が開くようにする。個々の容器の一続きの列全体を支持部分に配置することが特に有利である。
【００１６】
本発明はまた、請求項１５における特徴を有する、上に説明した包装容器の作製および充填方法に関する。本方法では、安定性のある箱の作製および捕捉方式で包装内容物を充填する動作が同じ包装工程ライン上で連続的に行われることで、かなりの合理化が実現する。いったん、箱を直立させて粘着剤で接着したら、支持部分が底面部分と同じ水平面上に留まり、その結果として、粘着剤による接着によって包装内容物を付着することができる。
【００１７】
箱を作製するために用いる素材板紙は、事前に印刷しておくことが好ましく、包装容器の他の利点の１つは、保管中に明確に視認可能な情報を端面に記載可能なことである。支持部分を内側に回動する前に、別体の情報チラシを箱内に位置決めすることができる。１つの別法または追加として、正確に言えば箱を直立させる前が好ましいが、情報パンフレットを蓋部分の内側面上に固定することもできよう。
【００１８】
他の利点および個々の特徴は、典型的な実施形態の説明および図面から理解することができる。
【発明を実施するための最良の形態】
【００１９】
図１は、長方形の底面部分４、この部分の長手側に隣接する長手側壁５、５’、その横手側に隣接する横手側壁６、６’を有する、たとえば、板紙または積層板から作製した一続きの素材板紙１５を示す。１つの埃除け用フラップ１２が、それぞれに横手側壁６、６’に隣接する。支持部分２が長手側壁５に配置され、蓋部分３が長手側壁５’に配置してある。粘着用フラップ９も長手側壁５、５’の両端に配置してある。
【００２０】
様々な材料部分が、折曲げ線１１によって相互に分離されている。長手側壁５を折り畳みストリップ７と２つの残り側壁８、８’に細分する角度付き切込み１０が、この実施形態における例外を構成する。これらの切込み１０は、図で分かるように、この実施形態では、長手側壁５の全幅（爾後の高さに対応する）にわたって延在する。
【００２１】
楕円形の開口１３が支持部分２から打ち抜いてあり、これらの構成および位置は、粘着剤で接着することによって爾後に付着させるブリスタシートに適合する。
図２による代替的な素材板紙１６は、長手側壁５、５’と横手側壁６、６’が屈曲折目によって相互に連結してあることだけが、上述の素材板紙と異なる。この場合は、長手側壁５全体が、屈曲折目１４回りに完全に回動可能な折り畳みストリップ７を形成する。上述のものとは異なるが、箱を安定させる目的のために屈曲折目１４’を粘着剤で接着可能であり、その結果としてやはり安定性のある箱が出来上がる。
【００２２】
最後に、図３による素材板紙１７は、第１支持部分２ａに加えて第２支持部分２ｂも有する。これらの２つの支持部分は、連結横断部材１８を介して連結方式で相互に連結してある。材料部分の残りは、図１の典型的な実施形態に関するものと同じように構成されている。
【００２３】
図４は、いったん、側壁を直立させて粘着剤で接着した包装容器１を示す。この目的のために、粘着用フラップ９を横手側壁６および６’に粘着剤で接着する。図で分かるように、この実施形態では、残り側壁８、８’が直立位置の状態にあるが、切込み１０（図１）によって、折り畳みストリップ７、したがって支持部分２も同様に、確実に底面部分４の平面内へ完全に回動可能である。
【００２４】
この位置で、個々の包装チャンバ２１が中に密着されるブリスタシート２０を粘着剤で接着することによって付着する。いったん、ブリスタシートを粘着剤で接着することによって付着したら、同じ包装工程ライン上で支持部分２を箱の内部２２に回動する。
【００２５】
このような位置を図５に例示する。開口１３越しにブリスタシート２０の裏側が見られるが、包装チャンバがそれぞれの開口の背後に位置する。いったん、埃除け用フラップ１２を内側に回動したら、同様に蓋部分３を閉じて、好ましくは粘着帯または挿入用フラップによって固着する。
【００２６】
図６は、図３による素材板紙１７から作製した包装容器１を示す。２つの別体の支持部分２ａおよび２ｂには、これらに粘着剤で接着することによって同様に別体のブリスタシート２０ａおよび２０ｂが付着してある。この包装容器を閉じるためには、図で分かるように、最初に支持部分２ｂを連結横断部材１８回りに支持部分２ａ上に移動させ、次いでこのユニット全体を箱内部２２に回動させる。情報チラシ１９を蓋部分３の内側面上に捕捉するように固定する。
【００２７】
図７および８による典型的な実施形態の場合では、箱本体は、図４による典型的な実施形態と同じ方式または類似の方式で構成されている。しかし、支持部分２が幾分異なる構成になっており、この支持部分は、ブリスタシートではなくて、複数の個々の容器を支える。図７によれば、これらの個々の容器２３が、注ぎ口および／または取出し口２４を有する基本的に丸い小瓶の形態にある。これらの取出し口を閉じ要素２５によって閉じ、これらの閉じ要素は全体として固定横材と一体になっている。所定の破断点２６が、取外し口２４と閉じ要素２５の間に通っているが、個々の容器２３を所定の破断点によって相互に連結することも可能である。
【００２８】
固定横材２７は、支持部分２に粘着剤で接着してある。この横材自体は、底面部分４の輪郭よりも幾分小さい輪郭を有する。個々の容器２３自体は、支持部分２に連結していない。個々の容器を折り取るとき、図で分かるように、閉じ要素２５は固定横材２７上に残り、したがって容器を折り取ると同時にこの容器が開く。
【００２９】
図７による典型的な実施形態の場合は、挿入用舌部２８も蓋部分３に配置してあり、いったん、支持部分を箱内部に回動したら、この舌部を溝穴３０中に挿入することができる。
【００３０】
図８による典型的な実施形態の場合は、支持部分２が相対的に幅の狭い細片を備えるだけである。個々の容器２３は、一続きの列２９で配置されているプラスチック材料から作製したアンプル状構造である。個々のアンプルを支持部分２の所定の破断点２６から切離し可能であり、次いで閉じ要素２５を別個に捻り取ることも必要である。このような容器は、たとえば、粘着剤または同様のものを個々に分割するのに適切である。
【００３１】
図９による素材板紙３１は、他の素材板紙と同じく、底面部分４および蓋部分３を同様に有し、長手側壁５’を介して連結方式で後者が前者に連結する。またこの場合は、支持部分２または２’が、折り畳みストリップ７を同時に形成する長手側壁５を介して底面部分４に連結する。
【００３２】
図３による典型的な実施形態とは異なり、これらの２つの部分２および２’は、別体のブリスタシートを受ける役割をしない。これらを受けるのではなく、１枚のブリスタシートを２つの支持部分２と２’の間にサンドイッチ状の方式で粘着剤によって接着する。またこの場合は、このような理由で２つの部分が１本の折曲げ線によって相互に分離されているだけである。切り抜いた開口は異なる大きさである。これらの取出し用開口３６は、製品用開口３７よりも幾分小さいが、製品用開口に対して鏡像となるように配置してある。ブリスタシート中に密着した製品は、製品用開口３７から突出し、このシートの取出し開口３６を通して押し出される。
【００３３】
折り畳みストリップ７に当接する側壁を形成するために、それぞれの側壁には、１つの外壁３２、３２’、内壁３３、３３’、連結横断部材３４、３４’、および粘着用フラップ３５、３５’が、素材板紙３１に配置してある。外壁３２、３２’および長手側壁５、５’は、それぞれの場合に、１つの屈曲折目１４、１４’を介して相互に連結されている。休止位置で溝穴３０中に挿入可能な挿入用舌部２８も蓋部分３に配置してある。
【００３４】
素材板紙３１を調製するために、最初に、粘着用フラップ３５、３５’を底面部分４に粘着剤で接着するが、正確に言えば、部材３４、３４’、３３、３３’、および３５、３５’を、３２と３４との間および３２’と３４’との間の折曲げ線回りに全体的に回動する。この原理は、ヨーロッパ特許公開ＥＰ−Ａ−１７２  １３３の序に述べてあることから当業者には知られている。このような予め組み立てた状態で、ブリスタシートを装着するための装着ステーションに素材板紙３１を送り出すことができる。
【００３５】
図１０は、素材板紙３１から作製され、底面部分４の平面内に完全に回動した支持部分２、２’を有する包装容器１を示す。中空の側壁６、６’またはその外壁３２、３２’が、この実施形態では、それぞれの場合に、１つの屈曲折目１４を介して支持部分に連結したままになっている。安定させる目的のために屈曲折目１４、１４’（この図では見えていない）を長手側壁５’に粘着剤で接着することが実際に可能であるが、必ずしも絶対に必要というわけではない。また、これらの屈曲機能は維持可能であり、その結果として、蓋部分３を底面部分４の平面内に回動して折り返すことができる。したがって、中空の側壁６、６’は、これらの元に戻ろうとする挙動のために幾分外側に傾斜するきらいがある。しかし、支持部分を内側に折り曲げるときおよび／または蓋部分を閉じるとき、これらの中空の側壁６、６’は再びそれらの垂直位置で直立する。
【００３６】
この文脈で特に重要なことは、図１１に例示するように、閉じた屈曲折目を内壁３１、３１’の端部側に対接して支持できることである。これは、閉じた屈曲折目１４が、このように内壁３１の端部側と折り畳みストリップ７（または長手側壁５’）の間に固定されているからである。つまり、中空側壁を矢印方向ａに外向きに回動するためには、この屈曲折目が矢印ｂ方向に外側に回動しなければならないが、それをこのような固定動作によって防止するからである。したがって、図で分かるように、たとえ粘着剤で接着しなくても、包装容器は、そのかど部分が休止位置で完全に安定状態に留まる。
【００３７】
包装内容物によっては、必ずしもシートまたは容器中にこれらを包装することが絶対に必要ではないが、様々な包装内容物を支持部分に固定可能であることも明らかであろう。幾つかの事例では、たとえば、中実の棒状照明補助具、使捨ての爪やすり、自転車の車輪用パンク修理キット、および同様なものの場合では、これらの包装内容物を支持部分に粘着剤で直接的に接着することが想定されよう。
【図面の簡単な説明】
【００３８】
【図１】粘着剤で固着した４つのかど部分を有する箱用の第１素材板紙を示す図である。
【図２】十分な範囲まで完全に回動可能な側壁を有する箱用の第２素材板紙の一部のみを例示する図である。
【図３】２つの支持部分を有する第３素材板紙を示す図である。
【図４】図１による第１素材板紙から作製した包装容器を例示する斜視図である。
【図５】図４による包装容器を示す図であり、支持部分が中に回動してある。
【図６】図３による第２素材板紙から作製した包装容器を例示する斜視図である。
【図７】個々の容器を有する包装容器の他の典型的な実施形態を例示する斜視図である。
【図８】代替的な個々の容器を有する包装容器の他の典型的な実施形態を例示する斜視図である。
【図９】プリズム状の中空側壁を有する、箱用の第４素材板紙を示す図である。
【図１０】図９による素材板紙から作製した包装容器を示す斜視図である。
【図１１】当接する屈曲折目を有する中空側壁の端部側を示す拡大平面図である。
【国際公開パンフレット】
2004535337.tif 000003
2004535337.tif 000004
2004535337.tif 000005
2004535337.tif 000006
2004535337.tif 000007
2004535337.tif 000008
2004535337.tif 000009
2004535337.tif 000010
2004535337.tif 000011
2004535337.tif 000012
2004535337.tif 000013
2004535337.tif 000014
2004535337.tif 000015
2004535337.tif 000016
2004535337.tif 000017
2004535337.tif 000018
2004535337.tif 000019
2004535337.tif 000020
2004535337.tif 000021
2004535337.tif 000022
2004535337.tif 000023
2004535337.tif 000024
2004535337.tif 000025
2004535337.tif 000026
2004535337.tif 000027
【国際調査報告】
2004535337.tif 000028
2004535337.tif 000029
2004535337.tif 000030
2004535337.tif 000031
2004535337.tif 000032
2004535337.tif 000033